(57)【要約】    【課題】動力伝達部および大腿部装具の剛性を高めつつ、装具と身体との間に生ずるズレの許容度を高めることができるように構成された歩行補助装置用装着具を提供する。    【解決手段】下肢の運動に補助力を与えるべく腰部に装着される動力発生装置（アクチュエータ４）の駆動軸から延出された補助力伝達アーム５の端部を大腿部Ｔに固定するための歩行補助装置用大腿部装具３において、その大腿部との接触部に、摩擦低減手段を備えたパッド２３を介設するものとする。これにより、使用者の大腿部と装具との間が滑り接触するので、動力発生装置及び動力伝達装置の身体に対する固定点と身体の運動軸（関節中心）との位置ズレが許容され、使用者に与える違和感を払拭する上に多大な効果を奏することかできる。【選択図】図２
2006320349.tif 000002
【特許請求の範囲】
【請求項１】
下肢の運動に補助力を与えるべく腰部に装着される動力発生装置の駆動軸から延出された補助力伝達アームの端部を大腿部に固定するための歩行補助装置用大腿部装具であって、
当該大腿部装具の大腿部との接触部に、摩擦低減手段を備えたパッドを介設したことを特徴とする歩行補助装置用大腿部装具。
【請求項２】
当該大腿部装具と前記動力発生装置との間が、実質的にリジッドな部材で連結されることを特徴とする請求項１に記載の歩行補助装置用大腿部装具。
【請求項３】
当該大腿部装具の基部および前記補助力伝達アームが、繊維強化樹脂材からなることを特徴とする請求項２に記載の歩行補助装置用大腿部装具。
【発明の詳細な説明】
【技術分野】
【０００１】
本発明は、歩行補助装置用大腿部装具に関し、より詳しく言うと、下肢機能が低下した人の筋力を補助する力を発生する動力発生装置における補助力伝達アームの端部を大腿部に固定するための歩行補助装置用大腿部装具に関するものである。
【背景技術】
【０００２】
筋力が低下して自力歩行が困難となった人のために、股関節や膝関節の近くに電動モータ等の動力発生装置を装着し、動力発生装置が発生する駆動力で下肢の運動を補助するようにした歩行補助装置が種々提案されている（例えば、特許文献１を参照されたい）。
【０００３】
特許文献１に記載された歩行補助装置においては、使用者の大腿部に大腿用装着部を装着し、動力発生装置の駆動力を、大腿用装着部を介して大腿部に伝達するように構成されている。この大腿用装着部は、大腿部にしっかりと固定できるように、大腿部の全周を覆うような円筒形をなすと共に、伸縮性のある布、皮革、合成樹脂製シート等の軟質材料にて製作されており、その周方向の一部を開閉して大腿部に着脱し得るように構成されている。
【特許文献１】特開平７−１６３６０７号公報
【発明の開示】
【発明が解決しようとする課題】
【０００４】
しかるに、特許文献１に記載の構成によると、大腿用装着部が軟質材で製作されていてその剛性が低いため、大腿用装着部における動力伝達腕の連結部に動力発生装置の駆動力が集中して伝達され、大腿部全体に均等に駆動力を加えることができない。そのため、大腿部が局部的に圧迫されるなど、使用者に違和感を与えるという問題があった。
【０００５】
大腿部全体に均等に駆動力を作用させるには、大腿用装着部の剛性を高くして動力発生装置の駆動力が大腿用装着部の全体に伝わるようにする必要がある。しかし、この種の外骨格型歩行補助装置においては、動力発生装置及び動力伝達装置の身体に対する固定点と身体の運動軸（関節中心）との位置が不一致であることに起因して装具と身体との間にズレの生ずることが避けられない。つまり大腿用装着部の高剛性化は、使用者の運動の自由度を阻害する要因となる。
【０００６】
装具の剛性を高くした上で使用者の運動の自由度を阻害しないようにするには、例えば動力発生装置と大腿用装着部との間に伸縮機構やリンク機構などを用いて装具と身体との間に生ずるズレを許容させる必要があるが、このようにすることは、構造の複雑化や重量の増大を招く要因となる。
【０００７】
そもそも、この種の補助装置は、身体の運動能力が低下した人が使用することを想定しているので、着脱時の取り扱いが不便であったり、重量が過大であったりすることは好ましいことではない。
【０００８】
本発明は、このような従来技術の問題点を解消すべく案出されたものであり、その主な目的は、動力伝達部および大腿部装具の剛性を高めつつ、装具と身体との間に生ずるズレの許容度を高めることができるように構成された歩行補助装置用大腿部装具を提供することにある。
【課題を解決するための手段】
【０００９】
このような課題を解決するために、本発明の請求項１は、下肢の運動に補助力を与えるべく腰部に装着される動力発生装置（アクチュエータ４）の駆動軸から延出された補助力伝達アーム５の端部を大腿部Ｔに固定するための歩行補助装置用大腿部装具３において、その大腿部との接触部に、摩擦低減手段を備えたパッド２３を介設したことを特徴とするものとした。
特に、動力発生装置と大腿部装具との間を、実質的にリジッドなトルクアームで連結するものとしたり（請求項２）、大腿部装具の基部およびトルクアームを、繊維強化樹脂材からなるものとしたり（請求項３）すると良い。
【発明の効果】
【００１０】
このような本発明の請求項１の構成によれば、使用者の大腿部と装具との間が滑り接触することとなり、動力発生装置及び補助力伝達アームの端部の身体に対する固定点と身体の運動軸（関節中心）との位置が不一致であることに起因して生ずる装具と身体との間のズレが許容されるばかりでなく、脚部の内外転運動および内外旋運動も許容可能となり、下肢の自然な運動を阻害せずに済む。従って、使用者に与える違和感を払拭する上に多大な効果を奏することかできる。
また、請求項２の構成によれば、股関節の近くに装着した動力発生装置と大腿部装具との間の寸法が変化しないので、大腿部装具が運動中にずり落ちることもない。
更に請求項３の構成によれば、高剛性且つ軽量なフレームで伸縮機構やリンク機構などを要することなく装具と身体との間のズレが許容されるので、構造を簡略化する上にも効果的である上、大腿部全体に伝達される力の均等化にも効果的である。
【発明を実施するための最良の形態】
【００１１】
以下に添付の図面を参照して本発明について詳細に説明する。
【００１２】
図１は、本発明に基づいて構成された歩行補助装置の概略構成図である。この歩行補助装置１は、腰部装具２と、大腿部装具３と、腰部装具２に結合された補助動力発生用アクチュエータ４とから構成されており、腰部装具２を腰部に装着することでアクチュエータ４を使用者の股関節の側方に固定すると共に、大腿部装具３を大腿部Ｔに装着することでアクチュエータ４の駆動軸から左右の大腿部Ｔの各外側面に沿うように延出された一対のトルクアーム５の遊端に作用する補助力を大腿部Ｔに伝達することができるようになっている。
【００１３】
トルクアーム５の遊端に結合された大腿部装具３は、図２に示すように、フラットバーを上面視略Ｕ字形に曲折してなるステー２１と、ステー２１の両端の対向内面に固定された薄板からなる一対のサポート板２２Ｆ・２２Ｒと、両サポート板２２Ｆ・２２Ｒの対向内面、つまり大腿部Ｔとの接触面に被着されるパッド２３とからなっている。両サポート板２２Ｆ・２２Ｒの外面には、板ばねの機能を発揮する可撓連結板２４がその上下両端を固定されており、その上下方向中間部に、ステー２１の各端が結合されている。これらのステー２１、両サポート板２２Ｆ・２２Ｒ、及び可撓連結板２４は、高剛性化と軽量化との両立を企図して例えばカーボンやケブラーなどの繊維で強化した合成樹脂材（ＦＲＰ）で形成されている。なお、トルクアーム５とステー２１との結合部並びにステー２１と両サポート板２２Ｆ・２２Ｒとの結合部は、例えば、ボルト／ナットを用い、ボルト孔を適宜なピッチで複数設ける等、使用者の体格の違いに応じてその結合位置が調節可能なように構成しておくと良い。
【００１４】
一対のサポート板２２Ｆ・２２Ｒは、パッド２３が被着された対向内面間に大腿部Ｔを前後から挟み込むように設けられており、大腿部Ｔの前面に当たるフロントサポート板２２Ｆの方が後面に当たるリアサポート板２２Ｒに比して縦長に形成され、且つリアサポート板２２Ｒの方がフロントサポート板２２Ｆに比して幅広に形成されている。そして図３に示すように、両サポート板２２Ｆ・２２Ｒと共に大腿部Ｔの周囲にウェブベルト２５を巻き付け、そのウェブベルト２５の端部を例えば平面ファスナを用いて止め付けることにより、大腿部装具３が大腿部Ｔに固定されるようになっている。
【００１５】
ここでリアサポート板２２Ｒは、大腿二頭筋を中心としたハムストリングスに当接し、フロントサポート板２２Ｆは、大腿四頭筋に当接する。リアサポート板２２Ｒは、しゃがんだ時に膝裏と干渉しないように、その下端縁を上方へ持ち上げ、その分だけ、上下寸法を短くしている。通常、体重を支えるのに発揮すべき筋力は、大腿四頭筋がハムストリングスの１．６倍くらい大きいので、フロントサポート板２２Ｆの高さ寸法をより大きくして支持荷重を大きくすると共に、力学的な力の伝達中心を大腿骨と平行にレイアウトすることにより、トルクアーム５からの力の伝達効率を高められる。
【００１６】
大腿部Ｔに当接するパッド２３は、シート材を縫製してなる袋体内に合成樹脂製発泡粒子（ビーズ）を充填してなっている。
【００１７】
袋体を形成するシート材としては、柔軟性に富み滑り易い材質のものが好ましく、特に容易に保形性が得られる点に鑑み、例えば、ナイロン、ポリエステル、ポリプロピレン等の熱可塑性合成樹脂が適している。これらの合成樹脂材を繊維化したものを、不織布やニット地もしくは織物の形態として用いると良い。なお、発汗に対する好ましい特性を得るためには吸湿性も重要であるが、このパッド２３は、一般的に着衣の上から装着されるので、最低限、高い通気性が得られるように形成することが好ましい。
【００１８】
袋体内に充填するビーズは、合成樹脂材を発泡させながら造粒するか、あるいは適度に発泡させた粒径の大きなものを更に粉砕して微粒化することによって容易に得ることができる。その材質としては、例えばポリスチレン、ポリプロピレン等のように、分子に極性基がなく、低摩擦なものが好ましい。また、これらの粒径は、過度な微粒であると弾性変形し難いために硬く感じられて装着感が悪くなり、過度に粗粒であると外面に凹凸が目立つようになって外観を損ねるので、一般的には０．２〜２ｍｍ程度の範囲が好ましい。
【００１９】
袋体内へのビーズの充填量は、過度に少ないと大腿部Ｔの外表面に対する形状追従性が損なわれるので、ビーズが袋体内で円滑に移動でき、しかも大腿部Ｔにパッド２３を圧接した際に、ビーズの層が過度に薄くなる部分ができない程度の量を充填すれば良い。
【００２０】
ごく軽いビーズと言えども非装着時には自重で下方に落ちてしまうので、図３に示したように、袋体内を適宜な数の小部屋に縫製で仕切り、ビーズを適度に分散させると良い。こうすることにより、大腿部装具３を大腿部Ｔに装着した際に、各小部屋の下方に溜まっていたビーズが装着者の大腿部Ｔの形状に応じて上方へ移動し、且つ強い圧力が加わる所から弱い所へ流動的に移動するので、パッド２３の全体が大腿部Ｔに均等に密接することとなる。このようにして、屈身時にも両サポート板２２Ｆ・２２Ｒと大腿部Ｔとの接触面積が維持され、大腿部に対する圧力が分散されるため、違和感を払拭できる。
【００２１】
また、大腿部Ｔの運動によって大腿部装具３と大腿部Ｔとの間にズレが生じた場合、パッド２３内のビーズ同士が互いに転がり接触しているためにパッド２３内をビーズが自由に移動し得る。従って、大腿部Ｔにパッド２３が密着していても、両サポート板２２Ｆ・２２Ｒと大腿部Ｔとの間の接触摩擦がビーズの転動によって減少するので、大腿部装具３と大腿部Ｔとの間の位置ズレが許容される。これにより、大腿部Ｔの特に内外転運動および内外旋運動が阻害されずに済む。
【００２２】
フロントサポート板２２Ｆの内面には、フロントサポート枚２２Ｆと概ね同一形状のバックアップ板２６で保持されたエアパッド２７が取り付けられている。このエアパッド２７は、軟質なエラストマ材で形成された扁平なブリスタ状をなし、図４に示すように、その適所にエアホース２８を介してハンドポンプ２９が接続されている。これにより、ウェブベルト２５を締め付けた後に、ハンドポンプ２９でエアパッド２７にエアを送り込むことにより、大腿部装具３が大腿部Ｔにより一層しっかりと結合される。このようにして大腿部装具３は、可撓連結板２４及びエアパッド２７の弾性を伴って大腿部Ｔに結合されるようになっている。
【００２３】
このエアパッド２７による空気ばね作用により、例えば蹲踞姿勢をとった時などの筋肉の隆起に起因した大腿部Ｔの外表面の変形に対しても、エアパッド２７が容易に大変位し得る上、必要に応じてエアを出し入れすることで締め付け力を容易に調節することができるので、高い装着性を維持することができる。しかも簡単な構造で大きな寸法差に追従し得るので、例えばＳ、Ｍ、Ｌなど、幾つかのサイズ違いを用意しておけば、万人の体格に対応可能となる。従って、大量生産が可能となるので、従来の使用者の体格に合わせた一品製作に比して、製造コストを大幅に低減することができる。
【図面の簡単な説明】
【００２４】
【図１】本発明装置の全体構成を示す斜視図である。
【図２】大腿部装具の上面図である。
【図３】大腿部装具の斜視図である。
【図４】大腿部装具の前部サポートの斜視図である。
【符号の説明】
【００２５】
１  歩行補助装置
３  大腿部装具
４  アクチュエータ
５  トルクアーム
２３  パッド
Ｔ  大腿部
【図１】
2006320349.tif 000003
【図２】
2006320349.tif 000004
【図３】
2006320349.tif 000005
【図４】
2006320349.tif 000006
【手続補正書】
【提出日】平成18年8月9日(2006.8.9)
【手続補正１】
【補正対象書類名】特許請求の範囲
【補正対象項目名】請求項１
【補正方法】変更
【補正の内容】
【請求項１】
下肢の運動に補助力を与えるべく腰部に装着される動力発生装置の駆動軸から延出された補助力伝達アームの端部を大腿部に固定するための歩行補助装置用大腿部装具であって、
当該大腿部装具が、前記大腿部を少なくとも部分的に外囲するステーと、
前記大腿部の前面に対向するように前記ステーに取り付けられたフロントサポート板と、
前記大腿部の後面に対向するように前記ステーに取り付けられたリアサポート板と、
前記フロント、リア両サポート板の前記大腿部との接触部に介設された摩擦低減手段を備えたパッドとを有することを特徴とする歩行補助装置用大腿部装具。
【手続補正２】
【補正対象書類名】明細書
【補正対象項目名】０００９
【補正方法】変更
【補正の内容】
【０００９】
このような課題を解決するために、本発明の請求項１は、下肢の運動に補助力を与えるべく腰部に装着される動力発生装置（アクチュエータ４）の駆動軸から延出された補助力伝達アーム５の端部を大腿部Ｔに固定するための歩行補助装置用大腿部装具３において、当該大腿部装具が、大腿部を少なくとも部分的に外囲するステー２１と、大腿部の前面に対向するようにステーに取り付けられたフロントサポート板２２Ｆと、大腿部の後面に対向するようにステーに取り付けられたリアサポート板２２Ｒとを備えるものとし、フロント、リア両サポート板の大腿部との接触部に、摩擦低減手段を備えたパッド２３を介設したことを特徴とするものとした。
特に、動力発生装置と大腿部装具との間を、実質的にリジッドなトルクアームで連結するものとしたり（請求項２）、大腿部装具の基部およびトルクアームを、繊維強化樹脂材からなるものとしたり（請求項３）すると良い。